(57)【特許請求の範囲】
【請求項１】
多数のスリット部を有するマスクとこのマスクにテンションを付加して支持するフレームとを備え、前記マスクに接触して前記マスクに発生する振動を抑制する振動拘束手段を前記フレームに連結してなり、
前記振動拘束手段は、両端が前記フレームの側面で支持されて前記マスクの長手方向に沿って配置される少なくとも一つ以上のダンパーワイヤーと、前記ダンパーワイヤーに所定の間隔を置いて配置形成された多数の突起部を備えてなり、前記多数の突起部が、前記マスクの非スリット部に接触または融着するか、前記スリット部に挿入して前記非スリット部に接触するカラー陰極線管のアパーチャグリル。
【請求項２】
前記突起部は、前記非スリット部及びスリット部の反復周期に合わせて形成されることを特徴とする請求項１に記載のカラー陰極線管のアパーチャグリル。
【請求項３】
前記突起部は、前記非スリット部の定数倍に合わせて形成されることを特徴とする請求項１に記載の陰極線管のアパーチャグリル。
【請求項４】
前記突起部は、前記ダンパーワイヤーとの熱膨張係数の差が小さい材質より作られていることを特徴とする請求項１に記載のカラー陰極線管のアパーチャグリル。
【発明の詳細な説明】
【０００１】
【発明の属する技術分野】
本発明はカラー陰極線管に於いて、色選別機能を有するアパーチャグリルに関するもので、より詳しくは、ハウリング現象を未然に防止してカラー陰極線管の色純度の低下を防げるカラー陰極線管のアパーチャグリルに関する。
【０００２】
【従来の技術】
周知の通り、カラー陰極線管は電子銃から発射されたＲ、Ｇ、Ｂの電子ビームを蛍光面に衝突させて所定の画像を具現する。
前記電子ビームが蛍光面のランディングしようとする地点に正しくランディングした時初めて良質の画像が得られるため、カラー陰極線管には必ずシャドーマスクが使われている。
【０００３】
ところで、最近ではカラー陰極線管の高品質化傾向に伴って前記通常のシャドーマスクの代わりにアパーチャグリルと呼ばれるマスクを採用している。
【０００４】
前記アパーチャグリルは一般のシャドーマスクとは違って、堅いフレームに多数のスリットを有するテンションマスクを固定して形成されるもので、これを図面を通じて見れば次の通りである。
【０００５】
図３は従来のアパーチャグリルを概略的に図示した斜視図で、図示されたように前記アパーチャグリル１は、多数のスリット１０ａが形成されているマスク１２ａと、このマスク１２ａを支えるフレーム１４ａと、このフレーム１４ａを陰極線管のパネル内側に支持させるスプリング１６ａを含んで構成されている。
【０００６】
前記マスク１２ａは、短方向または長方向にテンションが加えられた状態で前記フレーム１４ａに支持され、また前記フレーム１４ａは、このマスク１２ａを支持するために堅い状態のものが取り付けられている。
【０００７】
前記のように取り付けられるアパーチャグリル１に於いて、前記マスク１２ａは予めテンションが付加された状態で前記フレーム１４ａに設置されるので、カラー陰極線管の作用時、従来のシャドーマスクに比べてドーミング現象が減少される。これによってこのアパーチャグリル１を採用したカラー陰極線管は高輝度の特性を有する画像を具現することができる。
【０００８】
【発明が解決しようとする課題】
ところで、前記アパーチャグリル１はカラー陰極線管の作用時、それ自体の構造によって不必要に振動し、電子ビームのミスランディングをもたらすため、カラー陰極線管で具現される画像の色純度を低下させると言う問題点がある。
【０００９】
かかる問題点は前記マスク１２ａに形成されるスリット１０ａが機械的構造の弱いストリング形態でとりつけられるため、このカラー陰極線管が装着される電子機器のスピーカから発生された音波によっても容易に振動するためである。
【００１０】
このために従来は、前記マスク１２ａの長方向にダンパーワイヤー１８ａを設置して前記アパーチャグリル１のハウリング現象を防止していたが、これを完全に改善するには至らなかった。
【００１１】
【課題を解決するための手段】
従って、本発明は前記従来の問題点を勘案して案出されたもので、本発明の目的は振動拘束の効果を強化して電子ビームのミスランディングを防止してカラー陰極線管の色純度を向上し得るようなカラー陰極線管のアパーチャグリルを提供する。
【００１２】
これに対し、本発明は前記目的を達成するために、多数のスリット部を有するマスクとこのマスクにテンションを付加して支持するフレームとを備え、前記マスクに接触して前記マスクに発生する振動を抑制する振動拘束手段を前記フレームに連結してなるカラー陰極線管のアパーチャグリルを提案する。
【００１３】
前記振動拘束手段は、本発明によって、両端が前記フレームの側面で支持されて前記マスクの長手方向に沿って配置される少なくとも一つ以上のダンパーワイヤーと、前記ダンパーワイヤーに所定の間隔を置いて配置形成された多数の突起部を備えてなり、更に、前記多数の突起部が、前記マスクの非スリット部に接触または融着するか、前記スリット部に挿入して前記非スリット部に接触することにより、前記マスクを加圧拘束するように構成されていることが望ましい。
【００１４】
【発明の実施の形態】
以下、本発明を明確にするための最適の実施例を図面を参照して説明する。図１は、本発明の実施例に従うカラー陰極線管のアパーチャグリルを図示した斜視図である。
図示した前記アパーチャグリル２０は、湾曲したパネルを保有するカラー陰極線管に適用され得るアパーチャグリルで、これは通常のアパーチャグリルと同様に多数の垂直型スリット部２０ａを所定の間隔を維持して形成しているマスク２０ｂと、このマスク２０ｂにテンションが付加された状態でこのマスク２０ｂを支持するフレーム２０ｃが含まれて構成されている。
【００１５】
前記マスク２０ｂはその長方向または短方向のある一側面にテンションを受けるようになり、前記フレーム２０ｃはかかるこのマスク２０ｂを支えるために堅い形態のものが取り付けられている。
【００１６】
また、前記フレーム２０ｃ側面部にはこのアパーチャグリル２０をカラー陰極線管のパネル内側に設置するスプリング２２がその一側部を連結しており、前記マスク２０ｂの上方には本発明に従って取り付けられて、前記アパーチャグリル２０に発生する振動を抑制するための振動拘束手段が配置されている。
【００１７】
前記振動拘束手段は前記フレーム２０ｃの側面部に支えられて前記マスク２０ｂを加圧して前記アパーチャグリル２０で発生する振動を抑制するようになるが、本実施例ではこれを次のように備えている。
【００１８】
すなわち、振動拘束手段の構成には、まず、前記アパーチャグリル２０の長方向側に配置されて前記マスク２０ｂを支持するように設置されるダンパーワイヤー２０ｄが含まれる。
【００１９】
このダンパーワイヤー２０ｄは従来のアパーチャグリルに取り付けられるダンパーワイヤーのような構成を有するもので、これは少なくとも一つ以上用意されているが、本実施例ではこれを二つ取り付けている。
【００２０】
前記振動拘束手段にはかかるダンパーワイヤー２０ｄに所定の間隔を置いて形成される突起部２０ｅがさらに含まれる。
【００２１】
前記突起部２０ｅは、前記ダンパーワイヤー２０ｄから前記マスク２０ｂの上面に向かって前記マスク２０ｂの非スリット部２０ｆに接触または融着されてこれを支持するようになるが、これは前記非スリット部２０ｆ及びスリット部２０ａが反復する周期に合わせて一対一で形成されたり、あるいは定数倍に合わせて溶接または燒結などの方法を通じて形成されるのが望ましい。
【００２２】
この時、前記突起部２０ｅはその材質を前記ダンパーワイヤー２０ｄとの熱膨張係数の差が小さい金属、または結晶化ガラスあるいはセラミックスにより作られるのが望ましい。
【００２３】
こうして前記のように構成される前記アパーチャグリル２０はカラー陰極線管に適用され、このカラー陰極線管がテレビのような電子機器に構成された状態で、スピーカから発生した音波による振動を受けるようになってもその影響を最少化することができる。
【００２４】
これは即ち、前記振動拘束手段、言い換えると、前記ダンパーワイヤー２０ｄが既存の役割を果たしながら、ここに前記突起部２０ｅが前記マスク２０ｂの非スリット部２０ｆを適当な力を加えて加圧するようになるので、前記原因の振動により前記マスク２０ｂが振動するのを防止するためである。
【００２５】
これに前記アパーチャグリル２０は、上記したような作用によってそのハウリング現象を防ぐことができ、これによって前記アパーチャグリル２０を適用したカラー陰極線管は、前記アパーチャグリル２０の良好な作用で電子ビームのミスランディングを最少化して色純度が優秀な画質の映像を具現することができる。
【００２６】
一方、本発明は前記突起部２０ｅが前記マスク２０ｂを支持する構造を異にした他の実施例でも具現することが可能である。
【００２７】
これは即ち、図２に図示したように前記突起部２０ｅを前記スリット部２０ａに挿入する時、それに隣接している非スリット部２０ｆの側面に接触してこれを加圧して前記マスク２０ｂの振動を拘束するようにするものである。
【００２８】
【発明の効果】
前記実施例の説明を通じて考察したように本発明によるカラー陰極線管のアパーチャグリルは外部振動によるハウリング現象を防止できるようになる。
かかるアパーチャグリルをカラー陰極線管に適用する時、該当カラー陰極線管の色純度の特性を向上させてこのカラー陰極線管が高品質に維持され得る効果を有する。
【図面の簡単な説明】
【図１】本発明の実施例に従うカラー陰極線管のアパーチャグリルを図示した斜視図
【図２】本発明の他の実施例に従う突起部がマスクに支持される構造を図示した部分断面図
【図３】従来技術によるカラー陰極線管のアパーチャグリルを図示した斜視図
【符号の説明】
２０ａ    スリット部
２０ｂ    マスク
２０ｃ    フレーム
２０ｄ    ダンパーワイヤー
２０ｅ    突起部
２０ｆ    非スリット部
【図１】
0004030661.tif 000002
【図２】
0004030661.tif 000003
【図３】
0004030661.tif 000004